(57)【要約】【課題】  キー配列を第三者に覗かれる可能性が少なく、これによりキー入力した情報が従来よりも第三者に漏洩されにくい通信システムの提供。【解決手段】  キーを押下するたびに入力支援システム３から前回とは異なるキー配列が携帯端末１の表示画面１ｂ等に送信される。表示画面１ｂ等は物体を近づけると他のキー配列を表示するセンサキー１１と、物体により押下されるとキー情報を出力する他のキーとから構成される。まず、センサキー１１に物体を近づけ、他のキー配列を表示させ、所望のキーの位置を憶えておく。次に、センサキー１１から物体を離し他のキー配列を非表示とする。次に憶えておいたキーを押下する。【選択図】      図３
2008072262.tif 000002
【特許請求の範囲】
【請求項１】
携帯端末と、基地局と、入力支援システムとを含み、前記携帯端末にて１個のキー押下がなされると、そのキー押下情報が前記基地局を介して前記入力支援システムへ送信され、折り返し前記入力支援システムから前記基地局を介して前記携帯端末へ所定のキー配列情報が送信され、前記携帯端末にて前記キー配列情報に応じたキー配列が表示画面に表示される通信システムであって、
前記入力支援システムは前記キー押下情報を受け取るたびに異なるキー配列情報を送信するキー配列情報送信手段を含み、
前記携帯端末に設けられる前記表示画面はタッチセンサ式の表示画面であり、前記表示画面は物体を近づけると前記キー配列を表示し、前記物体を離すと前記キー配列を非表示とする表示制御手段を含むことを特徴とする通信システム。
【請求項２】
前記表示画面に表示されるキーのうちの１個は、そのキーに前記物体を近づけると他のキー配列を表示し、前記物体を離すと前記他のキー配列を非表示とする手段を備え、前記他のキーは前記物体に押下されるとそのキー情報を出力する手段を備えることを特徴とする請求項１記載の通信システム。
【請求項３】
前記表示画面に表示される各々のキーは、前記物体を近づけると自己のキーを表示し、前記物体を離すと自己のキーを非表示とし、かつ前記物体に押下されるとそのキー情報を出力する手段を備えることを特徴とする請求項１記載の通信システム。
【請求項４】
前記表示画面に表示される各々のキーは数字とアルファベットの組み合わせであり、前記入力支援システムは前記キー押下情報を受け取るたびに前記数字とアルファベットの組み合わせを変えて送信する手段を含むことを特徴とする請求項１から３いずれかに記載の通信システム。
【請求項５】
携帯端末と、基地局と、入力支援システムとを含み、前記携帯端末にて１個のキー押下がなされると、そのキー押下情報が前記基地局を介して前記入力支援システムへ送信され、折り返し前記入力支援システムから前記基地局を介して前記携帯端末へ所定のキー配列情報が送信され、前記携帯端末にて前記キー配列情報に応じたキー配列が表示画面に表示される通信システムにおける通信方法であって、
前記入力支援システムは前記キー押下情報を受け取るたびに異なるキー配列情報を送信するキー配列情報送信ステップを含み、
前記携帯端末に設けられる前記表示画面はタッチセンサ式の表示画面であり、前記表示画面は物体を近づけると前記キー配列を表示し、前記物体を離すと前記キー配列を非表示とする表示制御ステップを含むことを特徴とする通信方法。
【請求項６】
前記表示画面に表示されるキーのうちの１個は、そのキーに前記物体を近づけると他のキー配列を表示し、前記物体を離すと前記他のキー配列を非表示とするステップを備え、前記他のキーは前記物体に押下されるとそのキー情報を出力するステップを備えることを特徴とする請求項５記載の通信方法。
【請求項７】
前記表示画面に表示される各々のキーは、前記物体を近づけると自己のキーを表示し、前記物体を離すと自己のキーを非表示とし、かつ前記物体に押下されるとそのキー情報を出力するステップを備えることを特徴とする請求項５記載の通信方法。
【請求項８】
前記表示画面に表示される各々のキーは数字とアルファベットの組み合わせであり、前記入力支援システムは前記キー押下情報を受け取るたびに前記数字とアルファベットの組み合わせを変えて送信するステップを含むことを特徴とする請求項５から７いずれかに記載の通信方法。
【請求項９】
携帯端末と、基地局と、入力支援システムとを含み、前記携帯端末にて１個のキー押下がなされると、そのキー押下情報が前記基地局を介して前記入力支援システムへ送信され、折り返し前記入力支援システムから前記基地局を介して前記携帯端末へ所定のキー配列情報が送信され、前記携帯端末にて前記キー配列情報に応じたキー配列が表示画面に表示される通信システムにおける前記携帯端末であって、
前記キー押下情報の送信に対し、前記入力支援システムから異なるキー配列情報が前記携帯端末に送信され、
前記携帯端末に設けられる前記表示画面はタッチセンサ式の表示画面であり、前記表示画面は物体を近づけると前記キー配列を表示し、前記物体を離すと前記キー配列を非表示とする表示制御手段を含むことを特徴とする携帯端末。
【請求項１０】
前記表示画面に表示されるキーのうちの１個は、そのキーに前記物体を近づけると他のキー配列を表示し、前記物体を離すと前記他のキー配列を非表示とする手段を備え、前記他のキーは前記物体に押下されるとそのキー情報を出力する手段を備えることを特徴とする請求項９記載の携帯端末。
【請求項１１】
前記表示画面に表示される各々のキーは、前記物体を近づけると自己のキーを表示し、前記物体を離すと自己のキーを非表示とし、かつ前記物体に押下されるとそのキー情報を出力する手段を備えることを特徴とする請求項９記載の携帯端末。
【請求項１２】
前記表示画面に表示される各々のキーは数字とアルファベットの組み合わせであり、前記入力支援システムは前記キー押下情報を受け取るたびに前記数字とアルファベットの組み合わせを変えて送信する手段を含むことを特徴とする請求項９から１１いずれかに記載の携帯端末。
【発明の詳細な説明】
【技術分野】
【０００１】
本発明は、通信システムおよびその通信方法ならびに携帯端末に関し、特に暗証番号等の個人情報を入力する機能を備えた通信システムおよびその通信方法ならびに携帯端末に関する。
に関する。
【背景技術】
【０００２】
暗証番号等の個人情報を入力する機能を備えた携帯端末は公知である。携帯端末、一例として無線携帯端末より暗証番号等の個人情報、すなわち第三者に知られたくない番号および記号等の入力を行なう場合、多くの無線携帯端末ではキーの配置が固定されているため、入力した暗証番号等が第三者に容易に漏洩してしまう危険性がある。
【０００３】
一方、この課題を解決する手段の一例として、暗証番号の入力機能と、基地局にキー配列情報を要求する機能と、キー表示画面とを備え、キーを押すたびに次のキー配列情報が基地局から送信される携帯通信端末が開示されている（特許文献１参照）。
【０００４】
また、他の一例として、キーボード表示画面を備え、１つのキー操作を行うたびにキー配列を変更する暗証番号入力装置が開示されている（特許文献２参照）。
【０００５】
また、他の一例として、無線基地局を介してコンテンツサーバから所定ページ情報を取得し、そのページ情報に基づいてキー配列を変更する携帯電話機が開示されている（特許文献３参照）。
【０００６】
また、他の一例として、キーの配置は固定であるが、キーの入力順序を変更する入力装置が開示されている（特許文献４参照）。
【０００７】
また、他の一例として、数値および記号が表示される表示装置を備えた複数のキーを設け、その表示を任意に変更しうる数値入力装置が開示されている（特許文献５参照）。
【０００８】
これらの発明によれば、キー入力のたびにキー配列が変更され、あるいはキーの入力順序が変更されるため、入力した暗証番号等が第三者に漏洩する危険性を軽減することが可能である。
【０００９】
【特許文献１】特開２００２−２６１９１６号公報（段落０００１，００１３，００１５、００１６、図１および図２）
【特許文献２】特開２００３−１９６００６号公報（段落００１１、００１８、００２１図１および図２）
【特許文献３】特開２００５−０１８５６９号公報（段落００６１〜００６３、図１、図２および図７）
【特許文献４】特開２００６−０１４１６６号公報（段落０００７、０００８、図１および図５）
【特許文献５】特開平９−２３０９７５号公報（段落００１１、００１２、００１８および図１〜図３）
【発明の開示】
【発明が解決しようとする課題】
【００１０】
上記特許文献１〜３および５記載の発明ではキー配列の表示は所定時間後に変更されるものの、変更されるまでは現在のキー配列を表示し続けるため、そのキー配列を第三者に覗かれるおそれがある。一方、特許文献４記載の発明は、セキュリティの向上という面で本発明と共通するが、その構成は本発明と全く相違する。
【００１１】
そこで本発明の目的は、キー配列を第三者に覗かれる可能性が少なく、これによりキー入力した情報が従来よりも第三者に漏洩されにくい通信システムおよびその通信方法ならびに携帯端末を提供することにある。
【課題を解決するための手段】
【００１２】
前記課題を解決するために、本発明による通信システムは、携帯端末と、基地局と、入力支援システムとを含み、前記携帯端末にて１個のキー押下がなされると、そのキー押下情報が前記基地局を介して前記入力支援システムへ送信され、折り返し前記入力支援システムから前記基地局を介して前記携帯端末へ所定のキー配列情報が送信され、前記携帯端末にて前記キー配列情報に応じたキー配列が表示画面に表示される通信システムであって、前記入力支援システムは前記キー押下情報を受け取るたびに異なるキー配列情報を送信するキー配列情報送信手段を含み、前記携帯端末に設けられる前記表示画面はタッチセンサ式の表示画面であり、前記表示画面は物体を近づけると前記キー配列を表示し、前記物体を離すと前記キー配列を非表示とする表示制御手段を含むことを特徴とする。
【００１３】
また、本発明による通信方法は、携帯端末と、基地局と、入力支援システムとを含み、前記携帯端末にて１個のキー押下がなされると、そのキー押下情報が前記基地局を介して前記入力支援システムへ送信され、折り返し前記入力支援システムから前記基地局を介して前記携帯端末へ所定のキー配列情報が送信され、前記携帯端末にて前記キー配列情報に応じたキー配列が表示画面に表示される通信システムにおける通信方法であって、前記入力支援システムは前記キー押下情報を受け取るたびに異なるキー配列情報を送信するキー配列情報送信ステップを含み、前記携帯端末に設けられる前記表示画面はタッチセンサ式の表示画面であり、前記表示画面は物体を近づけると前記キー配列を表示し、前記物体を離すと前記キー配列を非表示とする表示制御ステップを含むことを特徴とする。
【００１４】
また、本発明による携帯端末は、携帯端末と、基地局と、入力支援システムとを含み、前記携帯端末にて１個のキー押下がなされると、そのキー押下情報が前記基地局を介して前記入力支援システムへ送信され、折り返し前記入力支援システムから前記基地局を介して前記携帯端末へ所定のキー配列情報が送信され、前記携帯端末にて前記キー配列情報に応じたキー配列が表示画面に表示される通信システムにおける前記携帯端末であって、前記キー押下情報の送信に対し、前記入力支援システムから異なるキー配列情報が前記携帯端末に送信され、前記携帯端末に設けられる前記表示画面はタッチセンサ式の表示画面であり、前記表示画面は物体を近づけると前記キー配列を表示し、前記物体を離すと前記キー配列を非表示とする表示制御手段を含むことを特徴とする。
【００１５】
次に、本発明の作用を述べる。本発明に係る携帯端末は、キーの配列が表示される表示画面を有している。また、この表示画面に表示されるいずれかのキーを押下することにより情報の入力が可能となるよう構成されている。
【００１６】
まず、ユーザ（使用者）が一つのキーを押下すると、そのキー押下情報は、基地局を介して無線携帯端末入力支援システムに送信される。このキー押下情報を受け取った無線携帯端末入力支援システムは、新たなキー配列情報を基地局を介して無線携帯端末へ送信する。
【００１７】
無線携帯端末は、この新たなキー配列情報を受信し、表示画面に表示する。これにより、ユーザは２回目のキー入力は１回目と異なるキー配列を用いて行う。同様に３回目以降のキー入力もそれぞれ異なるキー配列を用いて行う。
【００１８】
ところで、従来はキー配列が他のキー配列に変わるまでは現在のキー配列を表示し続けるため、その間にそのキー配列が第三者に覗かれるおそれがある。したがって、ユーザの指の位置から（直接キーを眺めなくても）どのキーを押下しているのか推測されるおそれがある。
【００１９】
これに対し、本発明ではキーのうちの１つに他のキーとは異なる機能を付与している。そのキー（以後、このキーを「センサキー」と記す）は、指または物体等をこのセンサキーに近づけたときのみ他のキーの表示を行うというものである。したがって、数字または記号のキーの押下は非表示の状態で行われるため、そのキー配列が第三者に覗かれる可能性は少ない。なお、ユーザはキー配列が非表示のキー表示画面からキーを押下することになるので、押下するキーの位置を予め憶えておく必要がある。
【発明の効果】
【００２０】
本発明によれば、上記構成を含むため、キー配列を第三者に覗かれる可能性が少なく、これによりキー入力した情報が従来よりも第三者に漏洩されにくくすることが可能となる。
【発明を実施するための最良の形態】
【００２１】
以下、本発明の最良の形態について添付図面を参照しながら説明する。図１は本発明に係る通信システムの最良の形態の構成図である。同図を参照すると、本発明に係る通信システムの最良の形態は、携帯端末の一例である無線携帯端末１と、基地局２と、無線携帯端末入力支援システム３とを含んで構成される。
【００２２】
さらに、無線携帯端末入力支援システム３は、通信部４と、制御部５と、処理部６と、データベース部７とを含んで構成される。
【００２３】
まず、無線携帯端末１の構成について説明する。図２は無線携帯端末１の一例の構成図である。同図（Ａ）を参照すると、無線携帯端末１は一例として折り畳み式携帯端末であり、一方の筐体に表示画面１ａを備え、他方の筐体に表示画面１ｂを備えている。
【００２４】
表示画面１ａには文字あるいは画像の情報が表示される。表示画面１ｂにはキーの配列が表示される。また、この表示画面１ｂに表示されるいずれかのキーを押下することにより情報の入力が可能となるよう構成されている。すなわち、表示画面１ｂは、いわゆる「タッチセンサ」式の表示画面で構成される。
【００２５】
より具体的に説明すると、表示画面１ｂ上のキーを指等の物体で押下すると、そのキーを押したことを示すキー押下情報が基地局２を介して無線携帯端末入力支援システム３へ送信される。
【００２６】
同図（Ｂ）の無線携帯端末１自体は同図（Ａ）と同様のものを示しており、他方の筐体の表示画面１ｄ上のキー配列が同図（Ａ）の表示画面１ｂのキー配列と異なることを示している。これは、後述するが、無線携帯端末入力支援システム３から送信された新たなキー配列に基づき表示画面１ｂのキー配列が表示画面１ｄのキー配列に変更されたものである。
【００２７】
次に、基地局２の構成について説明する。基地局２は無線携帯端末１と情報の授受を行う。また、無線携帯端末入力支援システム３の通信部４とも情報の授受を行う。
【００２８】
次に、無線携帯端末入力支援システム３の各部の構成について説明する。
【００２９】
通信部４は基地局２を介して無線携帯端末１から得られた入力情報等を取得する。制御部５は通信部４および処理部６から得られる各種情報についての制御を行う。処理部６は制御部５からの情報に基づき、無線携帯端末１に表示させるキー配列の決定処理等を行う。データベース部７には無線携帯端末１に表示させるキー配列についての情報が格納されている。
【００３０】
次に、本発明に係る通信システムの最良の形態の動作について説明する。図３は本発明に係る通信システムの最良の形態の表示画面に表示されるキー配列が変更される過程を示す模式図、図４は同通信システムの最良の形態の動作を示すフローチャートである。
【００３１】
図３（Ａ）〜（Ｄ）を参照すると、表示画面１ｂ、１ｄ、１ｆおよび１ｈのキーのうち、最上段左端のキーはセンサキー１１で、他のキーとは異なる機能が付与されている。すなわち、このキーに指または物体を近づけると他のキー（数字、アルファベット、記号等）を表示し、このキーから指または物体を離すと他のキー（数字、アルファベットおよび記号等）を非表示にする。なお、このキーの位置は上記最上段左端に限定されるものではなく位置は任意である。
【００３２】
まず、無線携帯端末１の表示画面１ａに暗証番号の入力を促す文章が出力される（図４のステップＳ１および図３（Ａ））。このとき、無線携帯端末１の表示画面１ｂには何も表示されていない（図３（Ａ））。
【００３３】
次に、無線携帯端末１の表示画面１ｄのセンサキー１１に指あるいはタッチペン等の物体を近づける（図４のステップＳ２および図３（Ｂ））。
【００３４】
センサキー１１に物体が近づけられると、表示画面１ｄに数字、アルファベットおよび記号等がランダム（ｒａｎｄｏｍ）配置となったキー配列が表示される（図４のステップＳ３および図３（Ｂ））。このときの、センサキー１１の感知は、熱感知、電力感知、圧力感知等の方法により検出できるものとする。
【００３５】
次に、センサキー１１から指等の物体を離すと、キー配列は再び非表示となる（図４のステップＳ４および図３（Ｃ））。つまり、センサキー１１に指等の物体等が近づいている状態のときのみ表示画面上にキー配列が表示される。
【００３６】
次に、ユーザが押したいキーが表示された箇所を押下する（図４のステップＳ５および図３（Ｃ））。このとき、表示画面１ｆ上のキー配列は非表示となっているため、ユーザは予めステップＳ３でキー配列が表示されたときに、押したいキーがどこにあるのかを記憶しておく必要がある。
【００３７】
次に、無線携帯端末１から基地局２にキーが押下されたことを通知する情報（以下、「キー押下情報」と記す）が送信される（図４のステップＳ６）。このとき、無線携帯端末１の表示画面１ｇに暗証番号が１文字入力されたことを示す記号（一例として“＊”）が表示される（図３（Ｄ））。
【００３８】
次に、キー押下情報を受信した基地局２は、そのキー押下情報を通信部を介して制御部５へ送信する（図４のステップＳ７）。
【００３９】
次に、キー押下情報を受信した制御部５は、データベース部７より次の暗証番号を入力する際に無線携帯端末１の表示画面１ｄに表示させるキー配列を取り出す（図４のステップＳ８）。このとき、１つのキーに割り当てられる数字とアルファベット等の組み合わせについても変更可能とする。たとえば、表示画面１ｄのキー（“５（ＣＤ）”）を（“５（ＰＱ）”）と変更することが可能である。ただし、この変更は必ずしも必要ではない。
【００４０】
次に、制御部５は取り出したキー配列を通信部４および基地局２を介して無線携帯端末１の表示画面１ｄへ送信する（図４のステップＳ９）。
【００４１】
次に、制御部５は所定回数キーが押下されたか否かを調べ、所定回数に到達していない場合は（図４のステップＳ１０にて“Ｎ”の場合）、上記ステップＳ２〜Ｓ９を繰り返す。
【００４２】
一方、所定回数に到達した場合、すなわち暗証番号の桁数分だけキーが押下された場合は（図４のステップＳ１０にて“Ｙ”の場合）、無線携帯端末１から基地局２に対し暗証番号が送信される（図４のステップＳ１１）。
【００４３】
以上説明したように、本発明の最良の形態によれば、暗証番号を一桁入力するごとにキー配列が変更され、さらにキー配列が恒久的に表示されることがないため、入力した暗証番号が第三者に容易に漏洩してしまう危険性を軽減することが可能となる。
【実施例１】
【００４４】
上記最良の形態では、暗証番号を１桁入力するごとにキー押下情報を基地局２に送信したが、１桁目の暗証番号を入力開始する前に入力桁数分のキー配列を予め無線携帯端末１に送信しておくことも可能である。
【００４５】
第１実施例によれば、キー押下回数分無線携帯端末１と無線携帯端末入力支援システム３との間で通信を行う必要がなくなる。これにより、回線の有効活用および消費電力の削減が可能となる。
【実施例２】
【００４６】
上記最良の形態では、“決定”キーや”クリア“キー等、暗証番号以外（数字キーおよび記号キー以外）のキーについてもランダムに並べ替えていたが（図２（Ａ）および（Ｂ）参照）、暗証番号以外のキーについては固定位置とすることも可能である。
【００４７】
第２実施例によれば、操作性を向上させることが可能となる。
【実施例３】
【００４８】
上記最良の形態では、“決定”キーや”クリア“キー等、暗証番号以外（数字キーおよび記号キー以外）のキーについてもセンサキー１１に物体等が近づいていない場合は非表示となってしまうが、暗証番号以外のキーについては常に表示させることも可能である。
【００４９】
第３実施例によれば、操作性を向上させることが可能となる。
【実施例４】
【００５０】
図５は第４実施例の無線携帯端末１の構成図である。上記最良の形態では、キー配列を表示させるためのセンサキー１１を固定箇所に設けているが、同図に示すように、各キー（一例として“５（ＣＤ）”キー）にセンサ機能を持たせ、そのキー部分に物体が近づいた場合に、そのキーに割り当てられている数字等を表示させることも可能である。
【００５１】
すなわち、まず所定キーに物体を近づけそのキーの数字等を表示させる。次に、表示された数字等が所望の数字等と一致する場合は、さらにそのキーを押下する。このように、本実施例ではキー操作は２段階となる。
【００５２】
ここで、特筆すべきは、表示されるキーは物体を近づけたキーだけであり、他のキーは非表示のままであることである。
【００５３】
第４実施例によれば、表示されるキーは１個のみであるため、入力した暗証番号が第三者に容易に漏洩してしまう危険性をさらに軽減することが可能となる。
【産業上の利用可能性】
【００５４】
本発明を無線携帯端末へのキー配置に関する情報提供および移動物体へのキー配置画面の搭載に利用することが可能である。
【図面の簡単な説明】
【００５５】
【図１】本発明に係る通信システムの最良の形態の構成図である。
【図２】無線携帯端末１の一例の構成図である。
【図３】本発明に係る通信システムの最良の形態の表示画面に表示されるキー配列が変更される過程を示す模式図である。
【図４】同通信システムの最良の形態の動作を示すフローチャートである。
【図５】第４実施例の無線携帯端末１の構成図である。
【符号の説明】
【００５６】
１  無線携帯端末
１ａ〜１ｊ  表示画面
２  基地局
３  無線携帯端末入力支援システム
４  通信部
５  制御部
６  処理部
７  データベース部
１１  センサキー
【図１】
2008072262.tif 000003
【図２】
2008072262.tif 000004
【図３】
2008072262.tif 000005
【図４】
2008072262.tif 000006
【図５】
2008072262.tif 000007